(57)【要約】【課題】扉を閉じ位置と開閉動作位置とにのみ拘束し、相手部材に対する扉の位置を正確に保持せしめて左右の開閉動作を円滑にすることができる左右両開き扉装置を提供すること。【解決手段】相手部材１に対し扉２を左右両側に開けるように支持せしめた左右両開き扉装置において、相手部材１の右側縁部と扉２の左側縁部とを各々ヒンジ３を介して相手部材１と扉２の間に配設した第１アーム４により接続するとともに、相手部材１の左側縁部と扉２の右側縁部とを各々ヒンジ３を介して相手部材１と扉２の間に配設した第２アーム５により接続する。【選択図】　図２
2004068537.tif 000002
【特許請求の範囲】
【請求項１】
相手部材に対し扉を左右両側に開けるように支持せしめた左右両開き扉装置において、相手部材の右側縁部と扉の左側縁部とを各々ヒンジを介して相手部材と扉の間に配設した第１アームにより接続するとともに、相手部材の左側縁部と扉の右側縁部とを各々ヒンジを介して相手部材と扉の間に配設した第２アームにより接続したことを特徴とする左右両開き扉装置。
【発明の詳細な説明】
【０００１】
【発明の属する技術分野】
本発明は、左右両開き扉装置に関し、特に、ヒンジを備えた複数のアームで相手部材と扉を接続することにより、扉を閉じ位置と開閉動作位置とにのみ拘束し、相手部材に対する扉の位置を正確に保持せしめて左右の開閉動作を円滑にすることができる左右両開き扉装置に関するものである。
【０００２】
【従来の技術】
従来、左右両開き扉装置として、冷蔵庫の扉に適用したものがある。
この左右両開き扉は、扉の左右両側の上下端部に本体側と連結するようにして特殊な蝶番を取り付け、使用時において左右いずれの方向からも開閉できるように構成している。
【０００３】
【発明が解決しようとする課題】
ところで、上記従来の左右両開き扉装置においては、高精度に製作される冷蔵等の本体側が確固とした筐体の場合、扉は左右いずれの方向からも開閉することができるが、洗面台上に取り付ける収納庫や、壁面などに埋設式に形成する収納庫においては、製作或いは施工誤差などが生じ易い。
このような場合においては、左右両開き用蝶番等の部材が高精度に製作されていても、本体側による製作誤差や施工時に誤差が生じると、高精度を要求される左右両開き扉の蝶番は、円滑な開閉操作が行いにくくなるという問題があった。
【０００４】
本発明は、上記従来の左右両開き扉装置が有する問題点に鑑み、ヒンジを備えた複数のアームで相手部材と扉を接続することにより、扉を閉じ位置と開閉動作位置とにのみ拘束し、相手部材に対する扉の位置を正確に保持せしめて左右の開閉動作を円滑にすることができる左右両開き扉装置を提供することを目的とする。
【０００５】
【課題を解決するための手段】
上記目的を達成するため、本発明の左右両開き扉装置は、相手部材に対し扉を左右両側に開けるように支持せしめた左右両開き扉装置において、相手部材の右側縁部と扉の左側縁部とを各々ヒンジを介して相手部材と扉の間に配設した第１アームにより接続するとともに、相手部材の左側縁部と扉の右側縁部とを各々ヒンジを介して相手部材と扉の間に配設した第２アームにより接続したことを特徴とする。
なお、ここでいう扉の左右とは、扉を閉じた状態でのことをいう。
【０００６】
この左右両開き扉装置は、相手部材の右側縁部と扉の左側縁部とを各々ヒンジを介して相手部材と扉の間に配設した第１アームにより接続するとともに、相手部材の左側縁部と扉の右側縁部とを各々ヒンジを介して相手部材と扉の間に配設した第２アームにより接続することから、各アームの開き側のヒンジを機能させることにより扉を左右に開くことができる。
そして、前記第１、第２各アームによって扉を相手部材と接続することにより、扉を閉じ位置と開閉動作位置とにのみ拘束し、これにより、相手部材に対する扉の位置を正確に保持せしめて、扉の左右の開閉動作を円滑にすることができる。
【０００７】
【発明の実施の形態】
以下、本発明の左右両開き扉装置の実施の形態を図面に基づいて説明する。
【０００８】
図１〜図５に、本発明の左右両開き扉装置の一実施例を示す。
この左右両開き扉装置は、例えば、相手部材としての戸棚１に対し、扉２を左右両側に開けるように支持せしめるもので、戸棚１の右側縁部１ａと扉２の左側縁部２ｂとを各々ヒンジ３を介して戸棚１と扉２の間に配設した第１アーム４により接続するとともに、戸棚１の左側縁部１ｂと扉２の右側縁部２ａとを各々ヒンジ３を介して戸棚１と扉２の間に配設した第２アーム５により接続している。
【０００９】
戸棚１は、開口部の奥に収納部６を備えた箱状のものからなり、該収納部６の内部には棚板等（図示省略）が設置されるとともに、下部は別の収納部７となっている。
【００１０】
扉２は、本実施例では１枚扉からなり、閉じた状態で戸棚１の開口部を閉塞する。扉２の表側の左右端部には、それぞれ引手部８が形成されている。
【００１１】
戸棚１と扉２の間に配設した第１アーム４は、図５に示すように、例えば、両端にヒンジ３を備えた、所定の剛性を有するステンレス等の金属板からなり、図２〜図４に示すように、戸棚１の右側縁部１ａと扉２の左側縁部２ｂとを、各々両端に配設したヒンジ３を介して接続している。
この第１アーム４は、扉２又は戸棚１の上下に１本ずつ、それぞれ略水平に架設されている。
また、第１アーム４は、両端に一体的に形成されたヒンジ３のみが戸棚１と扉２とにそれぞれ固定されており、アーム４自体は戸棚１や扉２から接離することができる。
【００１２】
戸棚１と扉２の間に配設した第２アーム５は、図５に示すように、例えば、両端にヒンジ３を備えた、所定の剛性を有するステンレス等の金属板からなり、図２〜図４に示すように、戸棚１の左側縁部１ｂと扉２の右側縁部２ａとを、各々両端に配設したヒンジ３を介して接続している。
この第２アーム５は、扉２又は戸棚１の上下に１本ずつ、それぞれ略水平に架設されている。
また、第２アーム５は、両端に一体的に形成されたヒンジ３のみが戸棚１と扉２とにそれぞれ固定されており、アーム５自体は戸棚１や扉２から接離することができる。
【００１３】
かくして、本実施例の左右両開き扉装置は、戸棚１の右側縁部１ａと扉２の左側縁部２ｂとを各々ヒンジ３を介して戸棚１と扉２の間に配設した第１アーム４により接続するとともに、戸棚１の左側縁部１ｂと扉２の右側縁部２ａとを各々ヒンジ３を介して戸棚１と扉２の間に配設した第２アーム５により接続することから、各アームの開き側のヒンジ３を機能させることにより扉２を左右に開くことができる。
そして、前記第１、第２各アームによって戸棚１と扉２を接続することにより、扉２を閉じ位置と開閉動作位置とにのみ拘束し、これにより、戸棚１に対する扉２の位置を正確に保持せしめて、扉２の左右の開閉動作を円滑にすることができる。
【００１４】
具体的には、第１アーム４は、扉２が左に開くときは、図４（ａ）に示すように戸棚１に沿った位置に移動し、扉２が右に開くときは、図４（ｃ）に示すように扉２に沿った位置に移動する。
一方、第２アーム５は、扉２が左に開くときは、図４（ｂ）に示すように扉２に沿った位置に移動し、扉２が右に開くときは、図４（ｄ）に示すように戸棚１に沿った位置に移動する。
これにより、谷折れとなるヒンジ３側で、第１アーム４と第２アーム５が戸棚１と扉２とを相互に支持し合うことができ、その結果、アーム自体が戸棚１や扉２から接離可能な状態であっても、各アーム４、５が戸棚１と扉２とを支持し合うことにより、複数のヒンジ３を同軸の位置に位置決めし、戸棚１に対する扉２の位置を正確に保持して、扉２の左右の開閉動作を円滑に行うことができる。
【００１５】
以上、本発明の実施例を説明したが、本発明の左右両開き扉装置は、この実施例の記載に限定されるものではなく、その趣旨を逸脱しない範囲において適宜その構成を変更することが可能であり、適用対象も、開き扉を有するものに適用することができる。
【００１６】
【発明の効果】
本発明の左右両開き扉装置によれば、相手部材の右側縁部と扉の左側縁部とを各々ヒンジを介して相手部材と扉の間に配設した第１アームにより接続するとともに、相手部材の左側縁部と扉の右側縁部とを各々ヒンジを介して相手部材と扉の間に配設した第２アームにより接続することから、各アームの開き側のヒンジを機能させることにより扉を左右に開くことができる。
そして、前記第１、第２各アームによって扉を相手部材と接続することにより、扉を閉じ位置と開閉動作位置とにのみ拘束し、これにより、相手部材に対する扉の位置を正確に保持せしめて、扉の左右の開閉動作を円滑にすることができる。
【図面の簡単な説明】
【図１】本発明の左右両開き扉装置の一実施例を示す斜視図である。
【図２】扉を左に開いた状態を示す斜視図である。
【図３】扉を右に開いた状態を示す斜視図である。
【図４】扉を開いた状態を示し、（ａ）は扉を左に開いた状態の第１アームを示す断面図、（ｂ）は扉を左に開いた状態の第２アームを示す断面図、（ｃ）は扉を右に開いた状態の第１アームを示す断面図、（ｄ）は扉を右に開いた状態の第２アームを示す断面図である。
【図５】アームとヒンジの平面図である。
【符号の説明】
１　　戸棚（相手部材）
１ａ　戸棚の右側縁部
１ｂ　戸棚の左側縁部
２　　扉
２ａ　扉の右側縁部
２ｂ　扉の左側縁部
３　　ヒンジ
４　　第１アーム
５　　第２アーム
６　　収納部
７　　収納部
８　　引手部
【図１】
2004068537.tif 000003
【図２】
2004068537.tif 000004
【図３】
2004068537.tif 000005
【図４】
2004068537.tif 000006
【図５】
2004068537.tif 000007